(57)【要約】  【課題】  本発明は、安全性を損なわず、長時間、適温の洗浄水を噴出可能な温水洗浄装置の提供を目的とする。  【解決手段】本発明は、貯蔵タンクと、この貯蔵タンクの下流に配置される流動加熱タンクとを備え、上記流動加熱タンクにて貯蔵タンクの貯湯温度を超える温度まで加熱し、洗浄ノズルより噴出する温水洗浄装置である。  また、上記において、貯蔵タンクと流動加熱タンクとを連通する配管にバキュームブレーカを有する温水洗浄装置である。  さらに、上記において、バキュームブレーカの閉止弁の位置が、流動加熱タンクの下側半分以下の高さに設けられた温水洗浄装置である。  【選択図】  図１
2007046344.tif 000002
【特許請求の範囲】
【請求項１】
貯蔵タンクと、この貯蔵タンクの下流に配置される流動加熱タンクとを備え、上記流動加熱タンクにて貯蔵タンクの貯湯温度を超える温度まで加熱し、洗浄ノズルより噴出する温水洗浄装置。
【請求項２】
請求項１において、貯蔵タンクと流動加熱タンクとを連通する配管にバキュームブレーカを有する温水洗浄装置。
【請求項３】
請求項１または２において、バキュームブレーカの閉止弁の位置が、流動加熱タンクの下側半分以下の高さである温水洗浄装置。
【請求項４】
請求項記１〜３の何れかに記載の温水洗浄装置において、流動加熱タンクのヒータが、セラミックヒータにより構成されたものである温水洗浄装置。
【請求項５】
請求項１〜４の何れかに記載の温水洗浄装置において、洗浄動作停止後、設定時間は洗浄動作状態にならないようにコントローラが制御する温水洗浄装置。
【発明の詳細な説明】
【技術分野】
【０００１】
この発明は、便器に設置され、人体局部を温水にて洗浄する温水洗浄装置に関する。
【背景技術】
【０００２】
一般的な温水洗浄装置は、図７に示すように、温水洗浄装置本体１が便器の上部に固定され、便座２及び便蓋３が開閉自在に取付られていると共に、温水洗浄装置本体１の内部には、人体局部に向かって洗浄水を噴出し洗浄を行うノズル装置４が設けられる。
【０００３】
図８及び図９に示すように、使用者が洗浄動作を所望し、温水洗浄装置の洗浄開始スイッチ１５を操作すると、装置は洗浄動作状態に入り、温水洗浄装置を制御するコントローラ１０が、水通路の開閉手段である水電磁弁５を開成し、外部給水元から洗浄水を温水洗浄装置本体１内に導入する。導入された洗浄水は、内部にヒータ１１を有し導入された水を適温まで加温して保温貯湯する貯湯タンク６、または、導入した洗浄水を瞬間加熱し適温の洗浄水を作る流動加熱タンク７を通り、その後、洗浄水量を制御する流量制御弁９、または、ノズルを複数有する装置であればノズル切替装置（図示せず）を通り、最後に、ノズル装置４に設けられた噴出口から人体局部に洗浄水を噴出し、洗浄を行う。
【０００４】
洗浄動作停止状態は、使用者による洗浄停止スイッチ１６の操作、コントローラ１０による一定時間後の自動停止命令または使用者検出装置（図示せず）により使用者がいないと判断された場合の命令等によって、水電磁弁５を閉止し洗浄水の導入を停止する。
【０００５】
バキュームブレーカ８は、便器からの汚物の流入を防ぐ目的でノズル装置４の上流に、かつ、ヘッド差により貯湯タンク６に貯湯された洗浄水がバキュームブレーカ８の開放口８ｄから排出されないようにする目的で、貯湯タンク６または流動加熱タンクの７内部水位の最高位と略同位置に設けられる。洗浄動作状態においてはバキュームブレーカ８内部の閉止弁８ｃが水圧によりケースの開放口８ｄに押し付けられ、水通路の大気開放を遮断する。
【０００６】
洗浄停止状態においては、水電磁弁５の閉止により、水通路への洗浄水の導入がないため、閉止弁８ｃは自重により落下し、開放口８ｄが大気開放状態となり、水通路内に大気が導入され、ノズル装置４側水通路と給水元側水通路とを、バキュームブレーカ８部で縁切りする。
【特許文献１】特開２０００−３３６７３３号公報
【特許文献２】特開２００３−１０６６６９号公報
【発明の開示】
【発明が解決しようとする課題】
【０００７】
従来の貯湯タンク６のみを有する温水洗浄装置の場合、貯湯タンク６内の洗浄水温度を常時適温に保持しておかねばならないため、一定温度以下になったならばヒータ１１を作動させ、設定された温水温度となるとヒータを停止する制御を行う必要があり、温水洗浄装置本体の使用回数が少ない場合は、無駄な電気エネルギーを消費するという問題がある。また、この貯湯タンク６のみを有する温水洗浄装置の場合、貯湯タンク６内の適温の洗浄水が洗浄動作により減ると順次給水元から水が供給されるので、使用に伴い温水温度が徐々に低下し、継続使用の際は、設定温度に満たない温度の洗浄水が局部に噴出されることになり、使用者に不快な思いをさせることがあった。
【０００８】
これに対して、流動加熱タンク７のみを有する温水洗浄装置の場合、ヒータ１１により瞬時に洗浄水を設定温度まで加熱することができるので、長時間にわたって一定温度の洗浄水をノズル装置４から局部に噴出できるが、この場合のヒータ容量は一般家庭の電力容量の制約から約１２００Ｗ程度のヒータしか使用できず、加温できる水量は約５００ｃｃ／ｍｉｎ程度となり、貯湯タンク６式の温水洗浄装置に対して約半分の洗浄水量しかなく、使用者によっては満足する洗浄感、効果が得られないことがあった。
【０００９】
このような問題を解決するために、特許文献１においては、貯湯タンク６内に保温用のヒータと加熱用のヒータとを設け、保温用のヒータにより貯湯タンク６内の洗浄水の予備加熱を行い、加熱用のヒータによって予備加熱された洗浄水を適温に加熱する方法がとられた。これにより、貯湯タンク６内の洗浄水温度は低温で済むため、節電効果が得られるというものである。
【００１０】
また、特許文献２においては、貯湯タンク６内の一部を隔壁で区切って、下流となる加熱室を設け、その中に設置した１つのヒータで、加熱室内の洗浄水を加熱するとともに、貯湯タンク６内の洗浄水を、隔壁を通して熱伝導により加熱する方法がとられた。これにより、１つのヒータで特許文献１と同様に、節電効果が得られるというものである。
【００１１】
しかし、これらの方法の場合、洗浄停止状態となった場合、加熱用のヒータ部分に留まった洗浄水が加熱用のヒータの余熱により加熱され、設定温度を超える温水温度となってしまう。また、従来は、バキュームブレーカ８はヒータとノズル装置４の間に設けられているため、大気開放状態では、ノズル装置４の中の洗浄水のみが捨て水として排出される。この結果、ヒータ付近には設定した温度を超える洗浄水が残留し、温水洗浄装置を使用者が再度使用しようとした際、設定温以上の洗浄水を局部に噴出させてしまう問題があった。
【００１２】
このため、洗浄動作状態の初期に、一定時間、局部に届かない少流量で高温の洗浄水を噴出させて高温水を捨てる動作を行っているものや、洗浄動作停止後、一定時間加熱用ヒータを作動させずに洗浄水のみ流して、余熱を排除するものがあった。
【００１３】
しかし、洗浄動作初期に高温水を捨てるものは、使用の度に毎回、洗浄開始時間が遅延する欠点があり、また洗浄停止後に洗浄水のみを流すものについては、停止後即、洗浄動作状態になった場合、設定温以上の水が噴出される問題があった。
【００１４】
本発明は、上記事情に鑑みてなされたもので、より高い安全性を確保し、長時間、適温の洗浄水を噴出可能な温水洗浄装置の提供を目的とする。
【課題を解決するための手段】
【００１５】
請求項１に記載した発明は、貯蔵タンクと、この貯蔵タンクの下流に配置される流動加熱タンクとを備え、上記流動加熱タンクにて貯蔵タンクの貯湯温度を超える温度まで加熱し、洗浄ノズルより噴出する温水洗浄装置である。
請求項２に記載した発明は、請求項１に記載の温水洗浄装置において、貯蔵タンクと流動加熱タンクとを連通する配管にバキュームブレーカを有する温水洗浄装置である。
請求項３に記載した発明は、請求項１または２に記載の温水洗浄装置において、バキュームブレーカの閉止弁の位置が、流動加熱タンクの下側半分以下の高さに設けられた温水洗浄装置である。
請求項４に記載した発明は、請求項記１〜３の何れかに記載の温水洗浄装置において、流動加熱タンクのヒータが、セラミックヒータにより構成されたものである温水洗浄装置である。
請求項５に記載した発明は、請求項１〜４の何れかに記載の温水洗浄装置において、洗浄動作停止後、設定時間は洗浄動作状態にならないようにコントローラが制御する温水洗浄装置である。
【００１６】
請求項１による温水洗浄装置では、洗浄動作停止状態において貯湯タンク６で内部の洗浄水を流動加熱タンク７で適温まで加熱できる程度の低温にて保温し、洗浄動作状態においては、貯湯タンク６から排出された洗浄水を適温に追加熱することにより、従来の貯湯タンク式の温水洗浄装置に比べ、洗浄動作停止状態における貯湯タンク６からの放熱を抑制することができ、節電が可能となる。また、従来の流動加熱タンク式の温水洗浄装置に比べ、洗浄水の追加熱温度差を小さくできることから、同じヒータ容量で比較した場合、大洗浄水量での洗浄動作が可能となり、洗浄感、洗浄性能の向上が図られる。
【００１７】
請求項２の温水洗浄装置では、洗浄動作停止状態においては、貯湯タンク６と流動加熱タンク７との間に設けたバキュームブレーカ８が大気開放状態となり、水通路内に空気が入ることによって、流動加熱タンク７内に溜まっており、ヒータの余熱により適温を越えた洗浄水が、空気と置換され、ノズル装置４の噴出口、または、バキュームブレーカ８の開放口８ｄから排出されることになる。したがって、流動加熱タンク７に溜まっており、適温を超えた洗浄水は、バキュームブレーカ８が大気開放状態となる前に比べて大幅に減っており、次に洗浄動作状態になった場合、適温を超えた洗浄水が排出されることはなく、より安全に使用することができる。
【００１８】
請求項３の温水洗浄装置では、バキュームブレーカ８の閉止弁８Ｃの位置を、流動加熱タンクの下側半分以下の高さとすることにより、バキュームブレーカ８による大気開放状態で、流動加熱タンク７に溜まっており、適温を超えた洗浄水の量を、さらに減少させることができる。したがって、次に洗浄動作状態になった場合、適温を超えた洗浄水が排出されることはない。
【００１９】
請求項４のヒータが、金属を一体焼結させたセラミックヒータで構成されたものの場合、従来、一般的に使われた金属管内部にヒータ用電線を封入したシーズヒータに比べて、昇温度速度が速く、かつ熱容量が小さいため、洗浄動作状態になった際は洗浄水を適温に加熱する速度が速くなると共に、洗浄動作停止の際は熱容量が小さいために流動加熱タンク７内の洗浄水の温度が高温となることを抑制することが可能である。
【００２０】
請求項５の場合、洗浄動作停止状態になり高温の洗浄水を排出している最中に、使用者が洗浄動作を所望し、温水洗浄装置の洗浄開始スイッチ１５を操作しても、即洗浄動作状態にならないため、高温の洗浄水を噴出させる危険性がなくなる。
【発明の効果】
【００２１】
本発明によれば、従来の貯湯タンク式の温水洗浄装置に比べ、洗浄動作停止状態における貯湯タンク６からの放熱を抑制することができ、節電が可能となる。また、従来の流動加熱タンク式の温水洗浄装置に比べ、洗浄水の追加熱温度差を小さくできることから、同じヒータ容量で比較した場合、大洗浄水量での洗浄動作が可能となり、洗浄感、洗浄性能の向上が図られる。
【発明を実施するための最良の形態】
【００２２】
図１は、本発明に係る温水洗浄装置の一例の内部の各要素部品の概略配置を示す。
図１において、本発明に係る温水洗浄装置の一例は、貯湯タンク６と、その下流に配置される流動加熱タンク７とを備え、バキュームブレーカ８が貯湯タンク６と下流の流動加熱タンク７の間に位置するよう設けられている。貯湯タンク６、流動加熱タンク７、及びバキュームブレーカ８以外の部分の基本構成は、従来の温水洗浄装置と同じである。
【００２３】
本発明の貯湯タンク６の一例は、図４に示すように洗浄水を加熱、貯湯するために樹脂成形されたものであり、下部に水電磁弁５から洗浄水を導入するタンク導入口６ａが、上部には低温に加熱された洗浄水を排出するタンク導出口６ｂが設けられている。また、この貯湯タンク６の一例には、洗浄水を加熱するヒータ１１としてシーズヒータ１１ａが、貯湯タンク６の底面近傍に設けられている。尚、貯湯タンク６の材質は樹脂でなくとも構わず、洗浄水を貯湯できる構造であればよい。更に、ヒータ１１についてもシーズヒータ１１ａでなくともよく、セラミックヒータや誘導加熱ヒータ等方式は問わない。また、タンク導入口６ａ及びタンク導出口６ｂの位置関係についても、特に指定するものではないが、なるべく貯湯タンク６内の水位を高くし、かつ、ヘッド差により貯湯された洗浄水がバキュームブレーカ８の開放口８ｄから排出されないようにするため、タンク導出口６ｂは、貯湯タンク６の上部とし、かつ、バキュームブレーカ８の開放口８ｄよりも低い位置とすることが望ましい。
【００２４】
この貯湯タンク６の一例の上部には、貯湯タンク６内に洗浄水が充填されていることを検知するために水位センサ１２が設けられていると共に、洗浄水の水温を検出するために貯湯温度センサ１３が設けられている。
【００２５】
図５に示す、本発明の流動加熱タンク７の一例は、樹脂成形されたものであり、下部にバキュームブレーカ８（図１参照）からの洗浄水を導入する導入口７ａが、側面には適温に加熱された洗浄水をノズル装置４に排出する導出口７ｂが設けられている。内部には、貯湯タンク６にて低温に加熱された洗浄水を適温に加熱するためのヒータとしてセラミックヒータ１１ｂが設けられている。尚、本発明の流動加熱タンク７の一例に適用したセラミックヒータ１１ｂは円筒形であり、内部を洗浄水が流れる構造としている。この流動加熱タンク７の材質は樹脂でなくとも構わず、洗浄水を導入できる構造であればよい。更に、ヒータ１１についてもセラミックヒータ１１ｂでなくともよく、シーズヒータや誘導加熱ヒータ等方式は問わず、一般家庭における電力容量から、流動加熱タンク７のヒータ１１容量は１０００〜１５００Ｗが望ましい。導入口７ａと導出口７ｂの位置関係についても制限はないが、洗浄動作停止後、バキュームブレーカ８の開放口８ｄから、流動加熱タンク７内の洗浄水を排出され易くするために、導入口７ａの位置は流動加熱タンク７内の下側半分以下にあることが有効である。また、導入口７ａの位置は、洗浄水の残りをできるだけ少なくするため、流動加熱タンク７の底部付近にあることが、さらに望ましい。
【００２６】
この流動加熱タンク７の一例の導出口７ｂには、洗浄水の水温を検出するために出湯温度センサ１４が設けられている。
【００２７】
図６に示す、バキュームブレーカ８の一例は、貯湯タンク６のタンク導出口６ｂと接続する貯湯タンク側接続口８ａと流動加熱タンク７と接続する流動加熱タンク側接続口８ｂを有しており、内部に閉止弁８ｃがあり、洗浄動作停止中に水通路に空気を導入する開放口８ｄがある。このバキュームブレーカ８の一例の開放口８ｄの高さ位置は、大気開放状態で流動加熱タンク７内に残留した適温を超えた洗浄水が少しでも排出されれば特に指定するものではないが、できるだけ多くの洗浄水を排出するためには、
流動加熱タンク７内の下側半分以下の位置とすることが望ましい。また、流動加熱タンク７内の残留した全ての洗浄水を排出するため、流動加熱タンク７の底部以下の低い位置とすることが、さらに望ましい。
【００２８】
以下は、動作について、説明する。
使用者が洗浄動作を所望し、温水洗浄装置の洗浄スイッチを操作すると、洗浄状態となり、図２に示した概略図の通り、コントローラ１０（（図１参照）は水電磁弁５を開成し、温水洗浄装置本体１内に給水元からの洗浄水が貯湯タンク６のタンク導入口６ａを介して貯湯タンク６内部に導入される。
【００２９】
ここで、本発明では、洗浄停止中にコントローラ１０が水位センサ１２により貯湯タンク６内の洗浄水を検知すると、予め設定された適温より低い温度になるよう、貯湯温度センサ１３で貯湯タンク６内部の洗浄水の温度を検出し、シーズヒータ１１ａを通電加熱制御する。本発明では、貯湯タンク６の温度制御は、流動加熱タンク７のヒータ１１容量と最大洗浄水量から約２０〜２５℃が望ましい。
【００３０】
洗浄状態の場合は、給水元の水圧により貯湯タンク６内の低温の洗浄水が貯湯タンク６のタンク導出口６ｂから排出され、バキュームブレーカ８内に貯湯タンク側接続口８ａを介し導入される。閉止弁８ｃは導入した洗浄水の水圧により、開放口８ｄに押し付けられてバキュームブレーカ８は密閉状態となると共に、流動加熱タンク側接続口８ｂから流動加熱タンク７に洗浄水が流入する。
【００３１】
流動加熱タンク７の導入口７ａから洗浄水が流動加熱タンク７内に流入すると、コントローラ１０は、設定された洗浄水量と予め設定された貯湯タンク６の貯湯温度により、シーズヒータ１１ａを洗浄水が適温となるように通電する。セラミックヒータ１１ｂにより瞬間加熱された適温の洗浄水は、加熱流動加熱タンク７の導出口７ｂを通り、ノズル装置４に流入する。尚、流動加熱タンク７の温度制御は、安全性から約４０℃が望ましい。
【００３２】
洗浄水は、本発明の一例では、おしり洗浄ノズルとビデ洗浄ノズルと捨て水ノズルとを切り替えるノズル切替装置と一体化した流量制御弁９を通り、ノズル装置４の水圧伸縮で伸縮を行う水圧伸縮ノズル４ａの先端に設けられた噴出口４ｂから人体局部に洗浄水を噴出し洗浄を行うこともできる。
【００３３】
ここで、水圧変動等により、設定洗浄水量が変動し、人体局部に噴出する洗浄水の温度が適温を超えるような場合、コントローラ１０が流動加熱タンク７の導出口７ｂに設けた出湯温度センサ１４の検出温度により、セラミックヒータ１１ｂの通電を制限して、洗浄水温度を一定温度に保つ制御を行うこともできる。
【００３４】
使用者による停止スイッチ操作、コントローラ１０による一定時間後の自動停止命令、または、使用者検出装置により使用者がいないと判断された場合は、コントローラ１０は、流動加熱タンク７のセラミックヒータ１１ｂへの通電を停止、水電磁弁５を閉止し洗浄水の導入を停止、温水洗浄装置は洗浄動作停止状態となる。更に、コントローラ１０は、洗浄動作停止となった場合、設定時間中は温水洗浄装置の洗浄スイッチを操作しても、水電磁弁５の開成を遅らせる制御を盛り込んでいる。設定時間の幅は、洗浄水の排出ができる数秒以下程度の時間で構わない。図示はしていないが、更に安全性を確保するためにノズル装置４に温度センサを儲けても良い。これにより、万が一高温の洗浄水が排出しきれなかった場合、ノズル装置側センサにより、温度を検出し、水電磁弁５を閉止することができる。また、ノズルの洗浄等の目的で局部以外に洗浄水を噴出可能なノズルがある場合、ノズル切替装置でノズルを局部以外に切り替えて、高温水の排出を図っても良い。
【００３５】
図３の概略図に示す通り、温水洗浄装置本体１内の水通路への水圧の印加がなくなると、バキュームブレーカ８内の閉止弁８ｃは自重により落下し、開放口８ｄが大気開放状態となり、開放口８ｄを介して水通路内に空気が導入される。
【００３６】
本発明において、バキュームブレーカ８の開放口８ｄの高さ位置が、流動加熱タンク７の下側半分の位置以下となっていることにより、水圧印加が無い状態となったため、ノズル装置４と開放口８ｄとの間にヘッド差が生じることになる。
【００３７】
よって、流動加熱タンク７内部に溜まった洗浄水は、バキュームブレーカ８の開放口８ｄまたはノズル装置４の噴出口、開口部分から自重で排出されことになる。
【００３８】
これにより、セラミックヒータ１１ｂの通電停止と水電磁弁５の閉止により、流動加熱タンク７内に留まり、セラミックヒータ１１ｂの余熱により、適温以上に加温された洗浄水は、排出される。
【００３９】
次に洗浄動作になった際に、局部に洗浄水が当たらない程度に高温の洗浄水を捨てる動作をすることなく、すみやかに局部に適温の洗浄水を噴出、洗浄を行うことができる。
【００４０】
よって、従来の温水洗浄装置の課題であった、洗浄動作初期に高温水を排出するために生じる洗浄動作の遅延がなくなる。
【００４１】
また、洗浄動作停止後、使用者が洗浄動作を所望し、温水洗浄装置の洗浄スイッチを操作しても、コントローラ１０が水電磁弁５の開成を遅らせる制御を行うため、洗浄動作状態になる前に、バキュームブレーカ８の開放口８ｄから洗浄水の放出を終了することができ、高温水の噴出といった課題を解決することができる。図示はしていないが、更に安全性を確保するためにノズル装置４に温度センサを儲けても良い。これにより、万が一高温の洗浄水が排出しきれなかった場合、ノズル装置側センサにより温度を検出し、水電磁弁５を閉止することができる。また、ノズルの洗浄等の目的で局部以外に洗浄水を噴出可能なノズルがある場合、ノズル切替装置でノズルを局部以外に切り替えて、高温水の排出を図っても良い。
【実施例】
【００４２】
以下、本発明の実施例について、図１〜図６を用いて説明する。
図１は、本発明の一実施例である温水洗浄装置の内部の各要素部品の概略配置を示す。バキュームブレーカ８が貯湯タンク６と下流の流動加熱タンク７の間に位置するよう設けられている。貯湯タンク６、流動加熱タンク７、及びバキュームブレーカ８以外の部分の基本構成は、従来の温水洗浄装置と同じである。
【００４３】
貯湯タンク６は、図４に示すように、樹脂成形されたものであり、下部に水電磁弁５から洗浄水を導入するタンク導入口６ａが、上部には低温に加熱された洗浄水を排出するタンク導出口６ｂが設けられている。貯湯タンク６の底面近傍には、洗浄水を加熱するシーズヒータ１１ａが設けられている。
【００４４】
貯湯タンク６の上部には、貯湯タンク６内に洗浄水が充填されていることを検知するために水位センサ１２が設けられていると共に、洗浄水の水温を検出するために貯湯温度センサ１３が設けられている。
【００４５】
図５に示す、流動加熱タンク７は樹脂成形されたものであり、下部にバキュームブレーカ８からの洗浄水を導入する導入口７ａが、側面には適温に加熱された洗浄水をノズル装置４に排出する導出口７ｂが設けられている。内部には、貯湯タンク６にて低温に加熱された洗浄水を適温に加熱するためのヒータ１１としてセラミックヒータ１１ｂが設けられている。流動加熱タンク７に適用したセラミックヒータ１１ｂは円筒形であり、内部を洗浄水が流れる構造としている。ヒータ１１の容量は１２００Ｗとした。導出口７ｂには洗浄水の水温を検出するために出湯温度センサ１４が設けられている。
【００４６】
図６に示すバキュームブレーカ８は貯湯タンク６の導出口６ｂと接続する貯湯タンク側接続口８ａと流動加熱タンク７と接続する流動加熱タンク側接続口８ｂを有しており、内部に閉止弁８ｂがあり、洗浄動作停止中に水通路に空気を導入する開放口８ｄがある。バキュームブレーカ８の開放口８ｄの温水洗浄装置本体１における高さ位置は、流動加熱タンク７内の下側半分の位置となっている。
【００４７】
ここで、本実施例では、貯湯タンク６の温度制御は、流動加熱タンク７のヒータ１１容量と最大洗浄水量から約２５℃とした。また、流動加熱タンク７の温度制御は、安全性から約４０℃とした。
【００４８】
水圧変動等により、設定洗浄水量が変動し、人体局部に噴出する洗浄水の温度が適温を超えるような場合、セラミックヒータ１１ｂの通電を制限して、洗浄水温度を一定温度に保つ制御を行うため、コントローラ１０が流動加熱タンク７の導出口７ｂに出湯温度センサ１４が設けられている。
【００４９】
コントローラ１０は、洗浄動作停止となった場合、設定時間中は温水洗浄装置の洗浄スイッチを操作しても、水電磁弁５の開成を遅らせる制御を盛り込んでいる。設定時間は、洗浄水の排出ができる２秒間とした。
【００５０】
洗浄動作停止となった場合、流動加熱タンク７内に留まり、セラミックヒータ１１ｂの余熱により、適温以上に加温された洗浄水は、ノズル装置４のノズル４ａ、および、バキュームブレーカ８の開放口８ｄから、すみやかに排出された。この際、ノズル装置４側から流動加熱タンク７内への洗浄水の戻りはなかった。また、次に洗浄動作になった際に、すみやかに局部に適温の洗浄水を噴出、洗浄を行うことができた。さらに、洗浄動作停止後、すぐに使用者が洗浄動作を所望した場合でも、洗浄動作状態になる前に、バキュームブレーカ８の開放口８ｄから洗浄水の排出を終了し、高温水の噴出はなかった。
【図面の簡単な説明】
【００５１】
【図１】本発明に係る温水洗浄装置の一例の内部の各要素部品の概略配置図である。
【図２】洗浄動作状態における洗浄水の流れを示す概略図の一例である。
【図３】洗浄動作停止状態における洗浄水の流れを示す概略図の一例である。
【図４】本発明に係る温水洗浄装置の貯湯タンク６の一例の断面図である。
【図５】本発明に係る温水洗浄装置の流動加熱タンク７の一例の断面図である。
【図６】本発明に係る温水洗浄装置のバキュームブレーカ８の一例の断面図である。
【図７】従来の温水洗浄器装置が便器に設置された状態の斜視図である。
【図８】従来の温水洗浄装置内部の各要素部品の概略配置を示している。
【図９】従来の温水洗浄器装置の洗浄動作状態における洗浄水の流れを示す概略図である。
【符号の説明】
【００５２】
１…温水洗浄装置本体、２…便座、３…便蓋、４…ノズル装置（４ａ．ノズル、４ｂ．ノズル噴出口）、５…水電磁弁、６…貯湯タンク（６ａ．タンク導入口、６ｂ．タンク導出口）、７…流動加熱タンク（７ａ．導入口、７ｂ．導出口）、８…バキュームブレーカ（８ａ．貯湯タンク側接続口、８ｂ．流動加熱タンク側接続口、８ｃ．閉止弁、８ｄ．開放口）、９…流量制御弁、１０…コントローラ、１１…ヒータ（１１ａ．シーズヒータ、１１ｂ．セラミックヒータ）、１２…水位センサ、１３…貯湯温度センサ、１４…出湯温度センサ、１５…洗浄開始スイッチ、１６．洗浄停止スイッチ
【図１】
2007046344.tif 000003
【図２】
2007046344.tif 000004
【図３】
2007046344.tif 000005
【図４】
2007046344.tif 000006
【図５】
2007046344.tif 000007
【図６】
2007046344.tif 000008
【図７】
2007046344.tif 000009
【図８】
2007046344.tif 000010
【図９】
2007046344.tif 000011